(57)【要約】【課題】  電子メールを受信した際の着信通知をより使いやすくする。即ち、電子メールを受信したユーザが、電子メールを読みにいく前にどの相手から送信された電子メールなのか及び送信者から付加されるメールの優先度を知ることが出来る電子メール端末装置を提供する。【解決手段】  予め電子メールアドレスに対応する着信通知方法及び着信通知優先度を記憶手段に記憶させておき、電子メールを複数件数受信した際に、受信メールの送信者電子メールアドレスと前記記憶手段に記憶されている電子メールアドレスとを比較し、一致した電子メールアドレスの中で最も高い着信通知優先度に対応する着信通知方法を用いて着信を通知することを特徴とする電子メール端末装置。【選択図】        図６
2006260183.tif 000002
【特許請求の範囲】
【請求項１】
電子メールを送受信するための通信手段と、電子メールの着信を通知するためのメール着信通知手段と、装置の各種設定を入力するための操作手段と、装置の各種設定を記憶するための記憶手段と、装置の各種制御を行う制御手段とを有し、予め前記操作手段を用いて電子メールアドレスに対応する着信通知方法及び着信通知優先度を前記記憶手段に記憶させておき、電子メールを複数件数受信した際に、受信メールの送信者電子メールアドレスと前記記憶手段に記憶されている電子メールアドレスとを比較し、一致した電子メールアドレスの中で最も高い着信通知優先度に対応する着信通知方法を用いて着信を通知することを特徴とする電子メール端末装置。
【請求項２】
電子メールを送受信するための通信手段と、電子メールの着信を通知するためのメール着信通知手段と、装置の各種設定を入力するための操作手段と、装置の各種設定を記憶するための記憶手段と、装置の各種制御を行う制御手段とを有し、予め前記操作手段を用いて送信者から付加されるメール優先度に対応する着信通知方法を前記記憶手段に記憶させておき、電子メールを複数件数受信した際に、受信した電子メールの中で送信者から付加されるメール優先度が最も高い電子メールの優先度に対応する着信通知方法を用いて着信を通知することを特徴とする電子メール端末装置。
【請求項３】
電子メールを送受信するための通信手段と、電子メールの着信を通知するためのメール着信通知手段と、装置の各種設定を入力するための操作手段と、装置の各種設定を記憶するための記憶手段と、装置の各種制御を行う制御手段とを有し、予め前記操作手段を用いて電子メールアドレスに対応する着信通知方法を前記記憶手段に記憶させておき、電子メールを複数件数受信した際に、受信した電子メールの中で送信者から付加されるメール優先度が最も高い電子メールの送信者電子メールアドレスに対応する着信通知方法を用いて着信を通知することを特徴とする電子メール端末装置。
【請求項４】
メール着信通知手段が液晶表示である請求項１乃至３いずれか記載の電子メール端末装置。
【請求項５】
メール着信通知手段が音源である請求項１乃至３いずれか記載の電子メール端末装置。
【発明の詳細な説明】
【技術分野】
【０００１】
本発明は、電子メールの着信通知方法に関し電子メール端末装置に関するものである。
【背景技術】
【０００２】
電話の着信通知において、電話の受け手が電話を取る前に電話をかけてきた相手を知ることが出来るように、受け手側の電話機に電話をかけてきた相手の電話番号を表示するナンバーディスプレイ機能というものがある。
【０００３】
これを利用して、電話機の電話帳に相手の電話番号と名前を対応させ登録することで、受け手側の電話機に電話をかけてきた相手の電話番号ではなく相手の名前を表示する機能、又は、相手の電話番号と着信通知音パターンを対応させ登録することで、受け手側の電話機で発生させる着信通知音を相手により変化させる機能により、さらに分かりやすく電話の受け手が電話を取る前に電話をかけてきた相手を知ることが出来る技術が存在する。
【特許文献１】特開２０００−２６７６５２号公報
【発明の開示】
【発明が解決しようとする課題】
【０００４】
従来はコンピュータにおける通信機能であった電子メールが、今日急速に普及している携帯電話機や家庭用電話機及びファクシミリ装置でも利用できるようになってきている。
【０００５】
しかし、電子メールを受信した際の着信通知には、電話のナンバーディスプレイ機能のようなものは存在せず、ただ単にメールを受信した旨の通知を行うだけであり、電子メールを受信したユーザは、電子メールを読みにいくまでは、どの相手から送信された電子メールなのかを知ることが出来ないという課題がある。
【０００６】
また、電子メールには送信者からメールの優先度を付加することができるが、同様に電子メールを受信したユーザは、電子メールを読みにいくまでは、メールの優先度を知ることが出来ないという課題がある。
【０００７】
本発明では、電子メールを受信した際の着信通知でも、電話の着信通知を行う場合と同様に、電子メールを受信したユーザが、電子メールを読みにいく前にどの相手から送信された電子メールなのか及び送信者から付加されるメールの優先度を知ることが出来る電子メール端末装置を提供することを目的とする。
【課題を解決するための手段】
【０００８】
上記目的を達成するための手段として、例えば、以下の電子メール端末装置を提供しようとするものである。
【０００９】
１．電子メールを送受信するための通信手段と、電子メールの着信を通知するためのメール着信通知手段と、装置の各種設定を入力するための操作手段と、装置の各種設定を記憶するための記憶手段と、装置の各種制御を行う制御手段とを有し、予め前記操作手段を用いて電子メールアドレスに対応する着信通知方法及び着信通知優先度を前記記憶手段に記憶させておき、電子メールを複数件数受信した際に、受信メールの送信者電子メールアドレスと前記記憶手段に記憶されている電子メールアドレスとを比較し、一致した電子メールアドレスの中で最も高い着信通知優先度に対応する着信通知方法を用いて着信を通知することを特徴とする電子メール端末装置。
【００１０】
２．電子メールを送受信するための通信手段と、電子メールの着信を通知するためのメール着信通知手段と、装置の各種設定を入力するための操作手段と、装置の各種設定を記憶するための記憶手段と、装置の各種制御を行う制御手段とを有し、予め前記操作手段を用いて電子メールアドレスに対応する着信通知方法を前記記憶手段に記憶させておき、電子メールを複数件数受信した際に、受信した電子メールの中で前記電子メールに送信者から付加されるメール優先度が最も高い電子メールの優先度に対応する着信通知方法を用いて着信を通知することを特徴とする電子メール端末装置。
【００１１】
３．電子メールを送受信するための通信手段と、電子メールの着信を通知するためのメール着信通知手段と、装置の各種設定を入力するための操作手段と、装置の各種設定を記憶するための記憶手段と、装置の各種制御を行う制御手段とを有し、予め前記操作手段を用いて電子メールアドレスに対応する着信通知方法を前記記憶手段に記憶させておき、電子メールを複数件数受信した際に、受信した電子メールの中で前記電子メールに送信者から付加されるメール優先度が最も高い電子メールの送信者電子メールアドレスに対応する着信通知方法を用いて着信を通知することを特徴とする電子メール端末装置。
【発明の効果】
【００１２】
本発明の電子メール端末装置によれば、電子メールを受信した際の着信通知でも、電話の着信通知を行う場合と同様に、電子メールを受信したユーザが、電子メールを読みにいく前にどの相手から送信された電子メールなのか及び送信者から付加されるメールの優先度を知ることが出来るという効果がある。
【発明を実施するための最良の形態】
【００１３】
本発明の画像形成装置の一実施例を図面と共に説明する。
【実施例】
【００１４】
図１は本発明の一実施例における装置のブロック図である。１−１はＣＰＵであり、装置全体を制御するためのものである。１−２はＲＯＭであり、装置の制御プログラムを格納するためのものである。１−３はＲＡＭであり、画像データをはじめとする各種データを格納するためのものである。１−４はスピーカであり、着信を通知するための着信音を出力するためのものである。１−５は表示部であり、装置の各種状態を表示するためのものである。１−６はキーパネルであり、装置における各種入力を行うためのものである。
【００１５】
図２は請求項１記載の送信者アドレス優先着信通知のフローチャートである。まず、新着電子メールを受信したかをチェックし（Ｓ２０１）、受信したならば、次に受信メール中の最優先メールを調べるために、まず、初期設定として、着信通知優先度比較用パラメータを最小値の１に、送信者メールアドレス一致フラグをオフに設定する（Ｓ２０２）。次に、新着受信メールの送信者メールアドレスが図５のメールアドレス−着信通知方法対応テーブルに登録されているかをチェックし（Ｓ２０３）、登録されていたならば、送信者メールアドレス一致フラグをオンにする（Ｓ２０４）。
【００１６】
次に、現在の前記着信通知優先度比較用パラメータと図５のメールアドレス−着信通知方法対応テーブルより得られる新着受信メールの送信者メールアドレスに対応する着信通知優先度を比較する（Ｓ２０５）。ここで、新着受信メールの送信者メールアドレスに対応する着信通知優先度の方が高かったならば、着信通知優先度比較用パラメータを新着受信メールの送信者メールアドレスに対応する着信通知優先度に更新し（Ｓ２０６）、前記新着受信メールの送信者メールアドレスを記憶する（Ｓ２０７）。
【００１７】
次に、新着受信メール全てにおいて比較処理を完了したかをチェックし（Ｓ２０８）、完了するまで比較処理（Ｓ２０３〜Ｓ２０７）を繰り返す。新着受信メール全てにおいて比較処理を完了したら、送信者メールアドレス一致フラグがオンであるかをチェックし（Ｓ２０９）、オンであったならば、送信者アドレスに対応する着信通知方法にて着信通知を行い（Ｓ２１０）、オンでなかったならば、通常の着信通知方法にて着信通知を行う（Ｓ２１１）。
【００１８】
図３は請求項２記載のメール優先度優先着信通知のフローチャート（１）である。まず、新着電子メールを受信したかをチェックし（Ｓ３０１）、受信したならば、受信メール中の最優先メールを調べるために、まず、メール優先度比較用パラメータを最低に設定する（Ｓ３０２）。次に、現在の前記メール優先度比較用パラメータと新着受信メールのメール優先度を比較し（Ｓ３０３）、新着受信メールのメール優先度の方が高かったならば、メール優先度比較用パラメータを新着受信メールのメール優先度に更新する（Ｓ３０４）。
【００１９】
次に、新着受信メール全てにおいて比較処理を完了したかをチェックし（Ｓ３０５）、完了するまで比較処理（Ｓ３０３〜Ｓ３０４）を繰り返す。新着受信メール全てにおいて比較処理を完了したら、図６のメール優先度−着信通知方法対応テーブルをもとに、メール優先度に対応する着信通知方法にて着信通知を行う（Ｓ３０６）。
【００２０】
図４は請求項３記載のメール優先度優先着信通知のフローチャート（２）である。まず、新着電子メールを受信したかをチェックし（Ｓ４０１）、受信したならば、受信メール中の最優先メールを調べるために、まず、初期設定として、メール優先度比較用パラメータを最低に、メール優先度更新フラグをオフに設定する（Ｓ４０２）。
【００２１】
次に、現在の前記メール優先度比較用パラメータと新着受信メールのメール優先度を比較し（Ｓ４０３）、新着受信メールのメール優先度の方が高かったならば、メール優先度更新フラグをオンにし（Ｓ４０４）、メール優先度比較用パラメータを新着受信メールのメール優先度に更新し（Ｓ４０５）、前記新着受信メールの送信者メールアドレスを記憶する（Ｓ４０６）。次に、新着受信メール全てにおいて比較処理を完了したかをチェックし（Ｓ４０７）、完了するまで比較処理（Ｓ４０３〜Ｓ４０６）を繰り返す。新着受信メール全てにおいて比較処理を完了したら、メール優先度更新フラグがオフであるかをチェックし（Ｓ４０８）、オフであったならば、新着受信メール中の最新メールの送信者メールアドレスを記憶する（Ｓ４０９）。
【００２２】
次に、図５のメールアドレス−着信通知方法対応テーブルを用いて、送信者メールアドレスが前記テーブルに登録されているかをチェックし（Ｓ４１０）、登録されていたならば、送信者アドレスに対応する着信通知方法にて着信通知を行い（Ｓ４１１）、登録されていなかったならば、通常の着信通知方法にて着信通知を行う（Ｓ４１２）。
【００２３】
本発明の電子メール端末装置によれば、電子メールを受信した際の着信通知でも、電話の着信通知を行う場合と同様に、電子メールを受信したユーザが、電子メールを読みにいく前にどの相手から送信された電子メールなのか及び送信者から付加されるメールの優先度を知ることが出来るという効果がある。
【図面の簡単な説明】
【００２４】
【図１】本発明の一実施例における装置のブロック図
【図２】送信者アドレス優先着信通知のフローチャート
【図３】メール優先度優先着信通知のフローチャート（１）のフローチャート
【図４】メール優先度優先着信通知のフローチャート（２）のフローチャート
【図５】メールアドレス−着信通知方法対応テーブル
【図６】メール優先度−着信通知方法対応テーブル
【符号の説明】
【００２５】
１−１  ＣＰＵ
１−２  ＲＯＭ
１−３  ＲＡＭ
１−４  スピーカ
１−５  表示部
１−６  キーパネル
【図１】
2006260183.tif 000003
【図２】
2006260183.tif 000004
【図３】
2006260183.tif 000005
【図４】
2006260183.tif 000006
【図５】
2006260183.tif 000007
【図６】
2006260183.tif 000008